(57)【要約】  乗物用シート１１は、フレーム１５と、フレーム１５に設置されるクッションパッド１６と、クッションパッド１６を覆うトリムカバー１７と、クッションパッド１６のフレーム１５に対する設置面１６ａに設けられる留め具３０と、を備え、留め具３０は、フレーム１５に固定されるフレーム固定部３１と、トリムカバー１７の端末部を係止しているカバー係止部３２と、を有し、クッションパッド１６に接合されている。
2020021834.tif 000002
【特許請求の範囲】
【請求項１】
フレームと、
前記フレームに設置されるクッションパッドと、
前記クッションパッドを覆うトリムカバーと、
前記クッションパッドの前記フレームに対する設置面に設けられる留め具と、
を備え、
前記留め具は、前記フレームに固定されるフレーム固定部と、前記トリムカバーの端末部を係止しているカバー係止部と、を有し、前記クッションパッドに接合されている乗物用シート。
【請求項２】
請求項１記載の乗物用シートであって、
前記留め具は、少なくとも一つの貫通孔が形成されているパッド接合部を有し、
前記パッド接合部は、前記クッションパッドの材料が前記貫通孔に充填されている状態で、前記クッションパッドに埋設されている乗物用シート。
【請求項３】
請求項１又は２記載の乗物用シートであって、
前記フレーム固定部は、
前記クッションパッドの前記設置面に沿って配置される基部と、
前記基部から前記フレーム側に突出して設けられ、前記フレームに係止される係止片と、
前記係止片との間に間隔をあけて前記基部から前記フレーム側に突出して設けられ、前記係止片との間に前記フレームを挟む支持片と、
を有する乗物用シート。
【請求項４】
請求項３記載の乗物用シートであって、
前記支持片は、前記係止片よりも前記フレーム側に突出している乗物用シート。
【請求項５】
請求項３又は４記載の乗物用シートであって、
前記カバー係止部は、前記係止片によって構成され、前記トリムカバーの前記端末部に設けられている係止孔に挿通されることによって前記端末部を係止しており、
前記トリムカバーの前記端末部は、前記フレーム固定部の前記基部と、前記フレームとの間に挟まれている乗物用シート。
【請求項６】
請求項５記載の乗物用シートであって、
前記フレームは、板材からなり、前記フレーム固定部の前記支持片に隣設されるフレーム本体と、前記フレーム本体から前記フレームの前記係止片に向けて延びているフランジと、を有し、
前記フレーム固定部の前記係止片は、前記フランジのエッジ部に係止されており、
前記フランジの前記エッジ部は、当該エッジ部の先端側ほど前記フレーム固定部の前記基部から離間する向きに傾斜している乗物用シート。
【発明の詳細な説明】
【技術分野】
【０００１】
本発明は、乗物用シートに関する。
【背景技術】
【０００２】
図６は、特許文献１に記載された車両用シートを示す。【０００３】
車両用シート１１１のシートクッションは、シートフレーム１１５と、シートフレーム１１５上に配置されるクッションパッド１１６と、シートフレーム１１５及びクッションパッド１１６を覆うトリムカバー１１７とを備える。【０００４】
シートフレーム１１５は、シート前後方向に延びる左右一対のサイドフレーム１１３と、この一対のサイドフレーム１１３同士を連結する前側フレーム１１４とを有する。サイドフレーム１１３に重なるトリムカバー１１７の縁部には、複数のフック部を有するトリムカバー用固定具１１８が設けられている。トリムカバー用固定具１１８のフック部がサイドフレーム１１３に引っ掛けられることにより、トリムカバー１１７がシートフレーム１１５に固定される。クッションパッド１１６は、シートフレーム１１５とトリムカバー１１７との間に挟み込まれることによって、シートフレーム１１５上に保持される。
【先行技術文献】
【特許文献】
【０００５】
【特許文献１】日本国特開２０１７−１２２２７号公報
【発明の概要】
【発明が解決しようとする課題】
【０００６】
特許文献１に記載された車両用シート１１１が組み立てられる場合に、まずクッションパッド１１６がシートフレーム１１５上に配置される。次いで、クッションパッド１１６を覆うようにトリムカバー１１７が配置され、トリムカバー１１７のフック部がサイドフレーム１１３に引っ掛けられる。このように車両用シートの組み立てに複数の作業が必要であり、作業効率の改善が望まれる。また、クッションパッド１１６は、シートフレーム１１５とトリムカバー１１７との間に挟み込まれているだけであり、シートフレーム１１５及びトリムカバー１１７に対するクッションパッド１１６の位置ずれが生じる虞がある。【０００７】
本発明は、組み立ての作業効率に優れ、フレームとクッションパッドとトリムカバーとの相互の位置ずれを抑制可能な乗物用シートを提供することを目的とする。
【課題を解決するための手段】
【０００８】
本発明の一態様の乗物用シートは、フレームと、前記フレームに設置されるクッションパッドと、前記クッションパッドを覆うトリムカバーと、前記クッションパッドの前記フレームに対する設置面に設けられる留め具と、を備え、前記留め具は、前記フレームに固定されるフレーム固定部と、前記トリムカバーの端末部を係止しているカバー係止部と、を有し、前記クッションパッドに接合されている。
【発明の効果】
【０００９】
本発明によれば、組み立ての作業効率に優れ、フレームとクッションパッドとトリムカバーとの相互の位置ずれを抑制可能な乗物用シートを提供することができる。
【図面の簡単な説明】
【００１０】
【図１】本発明の実施形態を説明するための、乗り物用シートの一例の斜視図である。
【図２】図１の乗り物用シートの分解斜視図である。
【図３】図１の乗り物用シートのクッションパッドとフレームとの固定部分を示す断面図である。
【図４】図３の固定部分に用いられる留め具の斜視図である。
【図５Ａ】図１の乗り物用シートの組み立て方法を順に説明するための断面図である。
【図５Ｂ】図１の乗り物用シートの組み立て方法を順に説明するための断面図である。
【図５Ｃ】図１の乗り物用シートの組み立て方法を順に説明するための断面図である。
【図６】従来の車両用シートの斜視図である。
【発明を実施するための形態】
【００１１】
図１及び図２は、本発明の実施形態を説明するための、乗物用シートの一例を示す。
【００１２】
図１及び図２に示す乗物用シート１１のシートクッションは、フレーム１５と、フレーム１５に設置されるクッションパッド１６と、クッションパッド１６を覆うトリムカバー１７とを備える。
【００１３】
フレーム１５は、乗物用シート１１の前後方向に延びる左右一対のサイドフレーム１３と、サイドフレーム１３の前端部及び後端部をそれぞれ連結する一対の連結フレーム１４とを有する。クッションパッド１６は、例えばウレタンフォーム等の発泡材からなる。トリムカバー１７は、複数の表皮材が接合されてなり、表皮材には、例えば皮革（天然皮革、合成皮革）、布（ニット、織布、不織布）等が用いられる。表皮材は、皮革又は布の単層構造であってもよいし、皮革又は布を表地として、皮革又は布にワディング（例えば弾性変形可能な軟質ポリウレタンフォームなどの樹脂発泡体）が積層された多層構造であってもよい。
【００１４】
クッションパッド１６の裏面、即ち、フレーム１５に対する設置面には、フレーム１５に固定され且つトリムカバー１７を係止するための留め具が設けられている。トリムカバー１７は、クッションパッド１６を覆った状態でクッションパッド１６の留め具に係止され、クッションパッド１６に組み付けられる。そして、クッションパッド１６が留め具によってフレーム１５に固定される。
【００１５】
図３は、フレーム１５とクッションパッド１６との固定部分を示し、図４は図３の固定部分に用いられる留め具を示す。
【００１６】
図３に示すフレーム１５とクッションパッド１６との固定部分は、サイドフレーム１３における固定部分である。なお、図３には、一方のサイドフレーム１３における固定部分のみが示されているが、他方のサイドフレーム１３における固定部分も同様に構成される。
【００１７】
サイドフレーム１３は、金属製の板材からなり、シート前後方向に延びるフレーム本体１８及びフランジ１９を有する。フレーム本体１８は、クッションパッド１６の設置面１６ａに対して略垂直に起こされた状態に配置されている。フランジ１９は、フレーム本体１８の上側（設置面１６ａ側）の縁部がシート外方に向けて折り曲げられてなり、設置面１６ａに沿って配置されている。シート外方に向けられたフランジ１９のエッジ部１９ａは、エッジ部１９ａの先端側ほど設置面１６ａから離間するように下向きに傾斜している。
【００１８】
留め具３０は、クッションパッド１６の設置面１６ａにおいてサイドフレーム１３と重なる領域に設けられている。留め具３０は、サイドフレーム１３に固定されるフレーム固定部３１と、トリムカバー１７を係止するカバー係止部３２と、クッションパッド１６に接合されるパッド接合部３３と、を有する。留め具３０は樹脂材料からなり、フレーム固定部３１と、カバー係止部３２と、パッド接合部３３とは一体に形成されている。
【００１９】
フレーム固定部３１は、クッションパッド１６の設置面１６ａに沿って配置される基部３４と、基部３４からフレーム側に突出している係止片３５と、基部３４からフレーム側に突出している支持片３６とを有する。係止片３５は、シート前後方向に間隔をあけて複数設けられており、図４に示す例では３つ設けられている。支持片３６は、３つの係止片３５との間に間隔をあけてシート前後方向に延びており、係止片３５よりもフレーム側に突出している。各係止片３５の先端部には、支持片３６側に向けて突出する爪３７が形成されている。サイドフレーム１３は、係止片３５と支持片３６との間に差し込まれており、係止片３５の爪３７がフランジ１９のエッジ部１９ａに係止され、フレーム固定部３１はサイドフレーム１３に固定されている。
【００２０】
カバー係止部３２は、図３及び図４に示す例では、フレーム固定部３１の複数の係止片３５によって構成されている。トリムカバー１７の端末部には、複数の係止孔２０が形成されており、各係止孔２０には係止片３５が挿通される。これにより、トリムカバー１７の端末部が複数の係止片３５によって係止され、トリムカバー１７がクッションパッド１６に組み付けられる。係止孔２０が形成されているトリムカバー１７の端末部は、表皮材に縫い付けられたサスペンダー（吊り布）２１によって形成されており、サスペンダー２１は、表皮材よりも引き裂き強度が高い材料からなる。さらに、係止孔２０よりも端末側に位置するサスペンダー２１の縁部には、テープ等の補強材２２が接合されている。
【００２１】
パッド接合部３３は、フレーム固定部３１の基部３４からクッションパッド１６側に突出して設けられている。パッド接合部３３には複数の貫通孔３８が形成されており、クッションパッド１６の材料が貫通孔３８に充填されている状態で、パッド接合部３３はクッションパッド１６に埋設されている。クッションパッド１６の材料が貫通孔３８に充填されていることにより、パッド接合部３３がクッションパッド１６に強固に接合される。かかる接合は、留め具３０と一体にクッションパッド１６を発泡成形する一体発泡成形によって行うことができる。ただし、パッド接合部３３のクッションパッド１６に対する接合方法は一体発泡成形に限定されず、例えばパッド接合部３３がクッションパッド１６に接着されてもよい。
【００２２】
図５Ａ〜図５Ｃは本実施形態に係る乗り物用シートの組み立て方法を示す。
【００２３】
図５Ａに示すように、トリムカバー１７はクッションパッド１６を覆っており、トリムカバー１７の端末部に形成されている係止孔２０に、留め具３０の係止片３５（カバー係止部３２）が挿通され、トリムカバー１７はクッションパッド１６に予め組み付けられている。
【００２４】
次に、図５Ｂに示すように、クッションパッド１６がフレーム１５に押し付けられ、サイドフレーム１３が、留め具３０の複数の係止片３５と支持片３６との間に差し込まれる。係止片３５よりもフレーム側に突出している支持片３６が、サイドフレーム１３のフレーム本体１８を摺動することによって、サイドフレーム１３は係止片３５と支持片３６との間に案内される。これにより、クッションパッド１６をサイドフレーム１３に対して位置決めでき、組み立て作業性を高めることができる。
【００２５】
図５Ｃに示すように、サイドフレーム１３がフレーム固定部３１の係止片３５と支持片３６との間に完全に差し込まれると、係止片３５の爪３７がフランジ１９のエッジ部１９ａに係止され、フレーム固定部３１がサイドフレーム１３に固定される。
【００２６】
このように構成された乗物用シート１１は、トリムカバー１７をクッションパッド１６に予め組み付けた状態で、トリムカバー１７とクッションパッド１６とを同時にフレーム１５に組み付けることができるので、組み立ての作業効率に優れる。
【００２７】
また、クッションパッド１６は留め具３０によってフレーム１５に固定され、トリムカバー１７は留め具３０によってクッションパッド１６に係止されているので、フレーム１５とクッションパッド１６とトリムカバー１７との相互の位置ずれを抑制できる。そして、トリムカバー１７をクッションパッド１６に係止している留め具３０がフレーム１５に固定されていることから、クッションパッド１６が変形しても留め具３０は変位せず、トリムカバー１７の係止が外れることを抑制できる。
【００２８】
また、留め具３０のフレーム固定部３１は、係止片３５と支持片３６とによってサイドフレーム１３を挟んでいるので、クッションパッド１６の変形にかかわらず、係止片３５がサイドフレーム１３のフランジ１９によって係止されている状態を確実に維持でき、クッションパッド１６のフレーム１５に対する固定強度を高めることができる。
【００２９】
また、トリムカバー１７の端末部は、係止片３５（カバー係止部３２）が係止孔２０に挿通されることによって係止されており、フレーム固定部３１の基部３４と、係止片３５を係止しているサイドフレーム１３のフランジ１９との間に挟まれている。これにより、係止片３５が係止孔２０から抜け、トリムカバー１７の端末部の係止が外れることを確実に防止することができる。
【００３０】
また、フランジ１９のエッジ部１９ａが、エッジ部１９ａの先端側ほどフレーム固定部３１の基部３４から離間する向きに傾斜しており、基部３４とエッジ部１９ａとの間にスペースが形成される。基部３４とフランジ１９との間に挟まれるトリムカバー１７の端末部（サスペンダー２１及び補強材２２）を、基部３４とエッジ部１９ａとの間のスペースに収納することにより、基部３４とフランジ１９とを密接させることができ、クッションパッド１６の安定性を高めることができる。
【００３１】
ここまで、乗物用シート１１のシートクッションを例にして本発明を説明したが、シートバックについても同様に構成することができる。また、自動車等の車両に設置される乗物用シート１１を例にして本発明を説明したが、本発明は、船舶や航空機といった車両以外の乗物用シートにも適用可能である。
【００３２】
以上、説明したとおり、本明細書に開示された乗物用シートは、フレームと、前記フレームに設置されるクッションパッドと、前記クッションパッドを覆うトリムカバーと、前記クッションパッドの前記フレームに対する設置面に設けられる留め具と、を備え、前記留め具は、前記フレームに固定されるフレーム固定部と、前記トリムカバーの端末部を係止しているカバー係止部と、を有し、前記クッションパッドに接合されている。
【００３３】
また、本明細書に開示された乗物用シートは、前記留め具が、少なくとも一つの貫通孔が形成されているパッド接合部を有し、前記パッド接合部は、前記クッションパッドの材料が前記貫通孔に充填されている状態で、前記クッションパッドに埋設されている。
【００３４】
また、本明細書に開示された乗物用シートは、前記フレーム固定部が、前記クッションパッドの前記設置面に沿って配置される基部と、前記基部から前記フレーム側に突出して設けられ、前記フレームに係止される係止片と、前記係止片との間に間隔をあけて前記基部から前記フレーム側に突出して設けられ、前記係止片との間に前記フレームを挟む支持片と、を有する。
【００３５】
また、本明細書に開示された乗物用シートは、前記支持片が、前記係止片よりも前記フレーム側に突出している。
【００３６】
また、本明細書に開示された乗物用シートは、前記カバー係止部が、前記係止片によって構成され、前記トリムカバーの前記端末部に設けられている係止孔に挿通されることによって前記端末部を係止しており、前記トリムカバーの前記端末部は、前記フレーム固定部の前記基部と、前記フレームとの間に挟まれている。
【００３７】
また、本明細書に開示された乗物用シートは、前記フレームが、板材からなり、前記フレーム固定部の前記支持片に隣設されるフレーム本体と、前記フレーム本体から前記フレームの前記係止片に向けて延びているフランジと、を有し、前記フレーム固定部の前記係止片は、前記フランジのエッジ部に係止されており、前記フランジの前記エッジ部は、当該エッジ部の先端側ほど前記フレーム固定部の前記基部から離間する向きに傾斜している。
【産業上の利用可能性】
【００３８】
本発明は、車両、船舶、航空機等の乗物用シートであって、組み立ての作業効率に優れ、フレームとクッションパッドとトリムカバーとの相互の位置ずれを抑制可能な乗物用シートを提供することができる。【００３９】
以上本発明の実施形態を詳述したがこれはあくまで一例示であり、本発明はその趣旨を逸脱しない範囲において種々変更を加えた態様で実施可能である。本出願は、２０１８年７月２４日出願の日本特許出願（特願２０１８−１３８８３０）に基づくものであり、その内容はここに参照として取り込まれる。
【符号の説明】
【００４０】
１１  乗物用シート
１３  サイドフレーム
１４  連結フレーム
１５  フレーム
１６  クッションパッド
１６ａ  クッションパッドの設置面
１７  トリムカバー
１８  フレーム本体
１９  フランジ
１９ａ  フランジのエッジ部
２０  係止孔
２１  サスペンダー
２２  補強材
３０  留め具
３１  フレーム固定部
３２  カバー係止部
３３  パッド接合部
３４  フレーム固定部の基部
３５  フレーム固定部の係止片
３６  フレーム固定部の支持片
３７  爪
３８  パッド接合部の貫通孔
【図１】
2020021834.tif 000003
【図２】
2020021834.tif 000004
【図３】
2020021834.tif 000005
【図４】
2020021834.tif 000006
【図５Ａ】
2020021834.tif 000007
【図５Ｂ】
2020021834.tif 000008
【図５Ｃ】
2020021834.tif 000009
【図６】
2020021834.tif 000010
【国際調査報告】
2020021834.tif 000011
2020021834.tif 000012